(57)【要約】【課題】緩衝板と少なくともその一端部に着脱可能に取り付けられるソケットとから形成され、コンクリート構造体間に配置される目地部材において、緩衝板の端部から容易に抜け出ることなく装着可能なソケットを提供すること。【解決手段】目地部材１は、緩衝板２とその両端部２ａ，２ｂに着脱可能に取り付けられるソケット５とから形成され、建造物を構成する壁Ａや柱Ｂのコンクリート構造体の間に設置される。ソケット５は、緩衝板２の端部２ａ，２ｂを嵌め込む断面コ字状の第１溝部８を備え、この第１溝部８の互いに対向する両側壁８ｂ内面には、緩衝板２の両側面に係止可能な抜け止め部９が形成されている。【選択図】      図１
2004225400.tif 000002
【特許請求の範囲】
【請求項１】
緩衝板と前記緩衝板の少なくとも一端部に着脱可能に取り付けられるソケットとから形成され、建造物を構成する壁や柱のコンクリート構造体の間に設置される目地部材の前記ソケットにおいて、
前記ソケットが、前記緩衝板の端部を嵌め込む第１溝部と、前記第１溝部の互いに対向する両側壁内面に形成されて前記緩衝板の両側面に係止可能な抜け止め部とを有することを特徴とする前記ソケット。
【請求項２】
前記抜け止め部が、前記第１溝部の側壁内面から前記緩衝板の端面が対向する前記ソケットの底壁内面に向かって斜めに傾斜するとともに、前記第１溝部の長さ方向へ連続的または断続的に延びる少なくとも一つの爪である請求項１に記載の前記ソケット。
【請求項３】
前記ソケットが、前記底壁を挟んで前記第１溝部とは反対側に、前記第１溝部とは逆向きに形成されたシーリング材充填用の第２溝部を備えている請求項１又は２に記載の前記ソケット。
【請求項４】
前記第１溝部と前記第２溝部との間に断熱材充填用筒状部が設けられている請求項１〜３のいずれかに記載の前記ソケット。
【発明の詳細な説明】
【０００１】
【発明の属する技術分野】
本発明は、目地部材のソケットに関し、更に詳細には、例えば鉄筋コンクリート造の建造物におけるコンクリート製の壁や柱などのコンクリート構造体どうしの間に設置して地震などの外力が作用したときにコンクリート構造体の破壊や損傷を防止するのに適する目地部材のソケットに関する。
【０００２】
【従来の技術】
従来、建造物などで使用される目地部材としては、躯体の壁面に設置された外装材の相互間隔部（目地溝）に配置されるものが一般的であった（例えば、特許文献１参照。）。
【０００３】
【特許文献１】
特開２０００−１１０２６３号公報（図１，図２）
【０００４】
【発明が解決しようとする課題】
鉄筋コンクリート造（ＲＣ造）や鉄骨鉄筋コンクリート造（ＳＲＣ造）などの建造物では、地震などによる比較的に大きな揺れを受けたとき、コンクリート壁やコンクリート柱（以下、コンクリート構造体という）にクラックが入ったり、破壊したりすることがある。そのため、近年、地震などによる比較的に大きな外力を受けたとき、コンクリート構造体の損傷を防止する装置を備える建造物が多くなってきている。
【０００５】
このような装置の主たるものは、建造物自体の揺れを防止する所謂、免震装置である。しかし、免震装置は、例えば、基礎部とその上に設置される建造物本体との間に設置されるものであったり、或いは各階層間に設置されるものであったりするため、装置やその設置が非常に大がかりであり、そのため建築コストが高くなる、という問題があった。そこで、例えば鉄筋コンクリート造の建造物におけるコンクリート製の壁や柱などのコンクリート構造体どうしの間に緩衝板を設置して地震などの外力が作用したときにコンクリート構造体の破壊や損傷を防止することが考えられている。
【０００６】
本発明の目的は、緩衝板と少なくともその一端部に着脱可能に取り付けられるソケットとから形成され、コンクリート構造体間に配置される目地部材において、緩衝板の前記端部から容易に抜け出ることなく装着可能なソケットを提供することにある。
【０００７】
【課題を解決するための手段】
上記した課題解決のために、この発明が対象とするのは、緩衝板と前記緩衝板の少なくとも一端部に着脱可能に取り付けられるソケットとから形成され、建造物を構成する壁や柱のコンクリート構造体の間に設置される目地部材の前記ソケットである。
【０００８】
かかる目地部材のソケットにおいて、この発明が特徴とするところは、前記ソケットが、前記緩衝板の端部を嵌め込む第１溝部と、前記第１溝部の互いに対向する両側壁内面に形成されて前記緩衝板の両側面に係止可能な抜け止め部とを有すること、にある。
【０００９】
この発明に係る目地部材のソケットにおける好ましい一つの実施態様として、前記抜け止め部が、前記第１溝部の側壁内面から前記緩衝板の端面が対向する前記ソケットの底壁内面に向かって斜めに傾斜するとともに、前記第１溝部の長さ方向へ連続的または断続的に延びる少なくとも一つの爪である。
【００１０】
また、この発明に係る目地部材のソケットにおける好ましい他の一つの実施態様として、前記ソケットが、前記底壁を挟んで前記第１溝部とは反対側に、前記第１溝部とは逆向きに形成されたシーリング材充填用の第２溝部を備えている。
【００１１】
また、この発明に係る目地部材のソケットにおける好ましい他の一つの実施態様として、前記第１溝部と前記第２溝部との間に断熱材充填用筒状部が設けられている。
【００１２】
【発明の実施の形態】
本発明に係る目地部材のソケットについて添付図面を参照して詳細に説明すると、以下のとおりである。図１は、目地部材１を建造物に設置した状態で示す横断面図である。この目地部材１は、主に、コンクリート製の壁（コンクリート構造体）Ａとコンクリート製の柱（コンクリート構造体）Ｂとの間に設置される。具体的には、ＲＣ造又はＳＲＣ造の建造物の躯体を構成するコンクリート製の壁Ａは、図１に矢印Ｔで示す横方向の端部が柱Ｂに対して間隔をあけて形成され、その間隔部が目地溝Ｃとされる。目地部材１は、壁Ａと柱Ｂとの間に挟まれるようにこの目地溝Ｃに配置される。
【００１３】
このように建造物の躯体を構成するコンクリート製の壁Ａと柱Ｂとの間の間隔部（目地溝Ｃ）に配置される目地部材１は、緩衝板２と、屋内側３と屋外側４とに向いている緩衝板２の両端部２ａ，２ｂに装着される硬質なソケット５とを備えている。この例では、ソケット５が緩衝板２の両端部２ａ，２ｂに装着される場合についてのものであるが、緩衝板２の屋外側４に面する端部２ｂにのみ装着され、屋内側３に面する端部には別のソケットなどを装着してもよい。緩衝板２は、ポリスチレンフォーム等の樹脂フォーム材から形成された板状体６の両面にアルミシート７のような耐火性のフィルム又はシートを貼り付けて形成され、ソケット５は、硬質プラスチックから形成されている。
【００１４】
ソケット５は、図２に示されるように緩衝板２の上端部と下端部との間の高さ寸法にほぼ等しい長さを有する長尺材であり、緩衝板２の両端部２ａ，２ｂを嵌め込む断面コ字状の第１溝部８を備えている。この第１溝部８は、緩衝板２における各端部２ａ，２ｂの端面が密着する底壁８ａと、該底壁８ａからほぼ直角に立設した、相対向する側壁８ｂとにより画成されている。対向する各側壁８ｂの内面には、第１溝部８に嵌め込まれた緩衝板２の両表面に係止可能な抜け止め部９が形成されている。
【００１５】
この実施形態において、抜け止め部９は、図３に示すように各側壁８ｂの内面にその長さ方向へ連続的に延びる２つの爪９ａ，９ｂで形成され、この爪９ａ，９ｂは、第１溝部８内の底壁８ａへ向かって斜めに突出し、それらの先端部は、図２に示すように緩衝板２の表面に貼り付けられている耐火性フィルム又はシートであるアルミシート７を突き破って樹脂フォーム材からなる板状体６に食い込み可能に、鋭利な先細り状に形成されている。このような抜け止め部９としては、鋭利な先細り状に形成された爪９ａ，９ｂの他、ゴム又は軟質塩化ビニル樹脂などの弾力性のある材料から形成され、緩衝板２がソケット５から抜け出ないようにストッパー的な役割を有する係止部などで形成することもできる。
【００１６】
また、このソケット５は、第１溝部８の両外側方に画成された２つの第３溝部１０を備えている。各第３溝部１０は、両側壁８ｂの各外側方において該側壁８ｂとほぼ並行に配置された別の側壁１０ｂと、第１溝部８を画成している底壁８ａから各側壁８ｂを越えてその外側方へ突出した突出部１０ａとにより形成されている。更に詳しくは、底壁８ａから各側壁８ｂを越えてその外側方へ突出した突出部１０ａの端部は、外側の側壁１０ｂに接続されており、第３溝部１０は、第１溝部８の各側壁８ｂを共用するとともに、底壁８ａからの突出部１０ａとこれに接続された外側の各側壁１０ｂとにより形成されている。
【００１７】
第１溝部８を画成している底壁８ａを挟んでその反対側には、例えば、セラミックファイバーなどの断熱材１１が詰め込まれる断熱材充填用筒状部１２が設けられている。この筒状部１２は、底壁８ａからほぼ直角に立設する２つの側壁１２ａ，１２ｂと、これら側壁１２ａ，１２ｂをつなぐ端壁１２ｃとにより断面矩形状に形成されている。この端壁１２ｃの外面には、相互に間隔をあけた２つの翼１３が設けられている。これら２つの翼１３と端壁１２ｃとで、底壁８ａを挟んで第１溝部８とは反対側に、第１溝部８とは逆向きに開放している第２溝部１４を形成している。各翼１３の先端部１３ａどうしの間隔は、端壁１２ｃに接続されている各基部１３ｂどうしの間隔よりも若干広く、したがって第２溝部１４の端面形状はほぼ台形状とされている。この第２溝部１４には、図１から明らかなようにシーリング材が充填される。具体的には、第２溝部１４の内方側にバックアップ材１５が充填され、その上にコーキング材１６が充填される。バックアップ材１５およびコーキング材１６は、主に、屋外側４に面する第２溝部１４内に充填されるが、屋内側３に面する第２溝部１４内に充填することも好ましい。
【００１８】
次に、コンクリート造の建造部を施工するに際し、目地部材１の設置方法について説明する。コンクリート製の壁Ａや柱Ｂを形成する際には、そのための型枠（図示せず）が設置される。そのときに、壁Ａの横方向端部となる位置と、壁Ａの横方向端部に対面する柱Ｂの表面となる位置との間に目地部材１を設置する。目地部材１は、形成される壁Ａの厚み寸法より短い幅寸法を有するポリスチレンフォームからなる板状体６の両面にアルミシート７を貼り付けて形成された緩衝板２の両端部２ａ，２ｂをソケット５の各第１溝部８に圧入して組み立てられる。緩衝板２の各端部２ａ，２ｂがソケット５の各第１溝部８に圧入されると各側壁８ｂの内面に形成されている爪９ａ，９ｂの先端部が緩衝板２の表面に食い込んで、ソケット５が緩衝板２の端部２ａ，２ｂから外れるのを防止する。
【００１９】
目地部材１は、図１に示すように壁Ａを形成する型枠内に設置したセパレーター１７に支持された保持金具１８によって前述した所定位置で支えられる。すなわち、保持金具１８は、図２に示すように細長い板状の支持バー１８ａにおける長さ方向中間部にネジ棒１８ｂの一端部が回転可能に取り付けられているもので、ネジ棒１８ｂの他端部はコ字状をした支持ブラケット１８ｃのネジ孔に螺合されている。
【００２０】
保持金具１８により目地部材１を所定位置に支持するときは、最初に、保持金具１８の支持ブラケット１８ｃをセパレーター１７の棒状部材に嵌め込んで連結し、次いでネジ棒１８ｂを中心にして矢印２０の方向に支持バー１８ａを回転し、その両端部を目地部材１の両外側に形成されている各ソケット５の第３溝部１０に嵌め込む。その後、ネジ棒１８ｂを回転させて支持ブラケット１８ｃからのネジ棒１８ｂの繰り出し長さを微調整して目地部材１を正確に位置決めする。なお、図１において、符号１９は、壁Ａ内に配筋された鉄筋を示している。
【００２１】
次いで、型枠内にコンクリートが打設される。型枠内へのコンクリートの打設が進む工程で、適宜、保持金具１８を取り外すことが好ましいが、そのままコンクリートに埋め込んでしまってもよい。保持金具１８における支持バー１８ａの両端部を嵌め込むソケット５の第３溝部１０は、型枠内に打設されたコンクリートの進入によってコンクリートとの一体化を図る作用もある。目地部材１を所定位置に設置するとき、かならず保持金具１８を用いて支持しなければならないものではなく、他の簡易な支持手段で支えることもできる。目地部材１を型枠内の所定位置に設置した後にコンクリートを打設すると、目地部材１の緩衝板２には、打設したコンクリートによる側圧が掛かる。そのため、例えば、簡易な手段でソケット５を支持して目地部材１を設置した場合又は特別な手段を用いずに目地部材１を自立設置した場合、打設したコンクリートによる側圧で緩衝板２が側方から押されて変形し、その端部２ａ，２ｂがソケット５の第１溝部８から抜け出ようとすることがある。しかし、このソケット５では、第１溝部８を画成している両側壁８ｂの内面に、底壁８ａの内面に向かって斜めに突出する爪９ａ，９ｂが抜け止め部９として形成されていて、その先端部が緩衝板２の表面に食い込んで係止しているので、容易に抜け出ることはない。なお、壁Ａを形成するために型枠内に打設したコンクリートにより緩衝板２に掛かる側圧は、柱Ｂを形成する型枠内へのコンクリートの打設により他方側から受ける側圧で相殺される。
【００２２】
目地部材１を建造物におけるコンクリート構造体どうしの間に設置すると、建造物が地震などによる比較的に大きな揺れを受けたときでも、コンクリート構造体、即ちコンクリート製の壁や柱に作用する応力を目地部材１の緩衝板２が吸収し、コンクリート構造体にクラックが入ったり、破壊したりするのを防止することができる。
【００２３】
なお、上述した目地部材１のソケット５では、緩衝板２の端部２ａ，２ｂの抜け止め部９が、図３に示すように第１溝部８を画成している両側壁８ｂの内面に、底壁８ａの内面に向かって斜めに突出し、第１溝部８の長さ方向へ連続的に延びる爪９ａ，９ｂで構成されていたが、本発明は第１溝部８の長さ方向へ連続的に延びる爪９ａ，９ｂに限定されるものではなく、図４に示すように断続的に延びる爪２１ａ，２１ｂであってもよい。
【００２４】
【発明の効果】
本発明に係る目地部材のソケットによれば、例えば、簡易な手段でソケットを支えて該目地部材を型枠内所定位置に設置した場合などに打設コンクリートによる側圧を受けて緩衝板に変形力が作用しても、その端部がソケットの第１溝部から容易に抜け出ることがなく、目地部材の設置作業を容易に行うことができる。
【図面の簡単な説明】
【図１】目地部材をコンクリート製の壁と柱との間に設置した状態で示す断面図である。
【図２】目地部材を部分的に拡大して示す斜視図である。
【図３】目地部材のソケットを部分的に拡大して示す斜視図である。
【図４】目地部材における他の実施態様のソケットを部分的に拡大して示す斜視図である。
【符号の説明】
Ａ  壁（コンクリート構造体）
Ｂ  柱（コンクリート構造体）
Ｃ  目地溝
１  目地部材
２  緩衝板
２ａ，２ｂ  緩衝板の端部
３  屋内側
４  屋外側
５  ソケット
６  樹脂フォーム材からなる板状体
７  アルミシート
８  第１溝部
８ａ  底壁
８ｂ  側壁
９  抜け止め部
９ａ，９ｂ  爪
１０  第３溝部
１０ａ  突出部
１０ｂ  側壁
１１  断熱材
１２  断熱材充填用筒状部
１２ａ，１２ｂ  側壁
１２ｃ  端壁
１３  翼
１３ａ  先端部
１３ｂ  基部
１４  第２溝部
１５  バックアップ材
１６  コーキング材
２１ａ，２１ｂ  爪
【図１】
2004225400.tif 000003
【図２】
2004225400.tif 000004
【図３】
2004225400.tif 000005
【図４】
2004225400.tif 000006